(57)【特許請求の範囲】
【請求項１】
対面する一対の基礎仮枠に各々埋め込み状態に設置される第１および第２のセパレータ本体と、前記両基礎仮枠間に介在させる支持筒と、この支持筒内に挿通されて前記両セパレータ本体を接合する継ぎボルトとを備え、前記継ぎボルトは先端および基端に雄ねじ部を有しかつ基端近傍に軸部よりも大径の雄ねじ部を有し、前記第１のセパレータ本体は前記継ぎボルトの軸部が挿通可能でかつ前記大径の雄ねじ部と螺合する雌ねじ部を有し、前記第２のセパレータは前記継ぎボルトの先端の雄ねじ部が螺合する雌ねじ部およびホームタイの接合部を有するものであるセパレータ。
【請求項２】
請求項１記載のセパレータを基礎仮枠に取付ける構造であって、前記両セパレータ本体を埋め込み設置する基礎仮枠が、基礎コンクートの打設後に基礎の断熱材として残される発泡ウレタン製の断熱基礎仮枠である断熱基礎仮枠のセパレータ取付構造。
【請求項３】
前記両基礎仮枠の内面におけるセパレータ本体取付部の周囲に金属製の補強板を設け、前記支持筒の前記第１のセパレータ本体側の端部外周に、外径側へ突出する複数の係止爪を設け、前記第１のセパレータ本体側の補強板に、前記支持筒の端部が挿入される円形開口を設け、この円形開口の周縁に、前記支持筒の係止爪が挿通可能な切欠を設け、この補強板と第１のセパレータ本体との間に前記係止爪を挟み込み可能な隙間を設け、前記支持筒の先端の係止爪を前記切欠から挿入して前記支持筒を回転させることにより、前記係止爪を前記隙間内に挟み込んで前記支持筒を基礎仮枠に保持可能とした請求項２記載の断熱基礎仮枠のセパレータ取付構造。
【発明の詳細な説明】
【０００１】
【発明の属する技術分野】
この発明は、基礎の断熱材を兼用する発泡ウレタン製の基礎仮枠を用いた断熱基礎仮枠におけるセパレータ取付構造、およびこのような基礎に適したセパレータに関する。
【０００２】
【従来の技術と発明が解決しようとする課題】
寒冷地用の断熱基礎構造として、基礎仮枠を発泡ウレタン製とし、この基礎仮枠を基礎コンクリートの硬化後も基礎の断熱材としてそのまま残すものを提案した（特願平７−２８７９６７号）。これによれば、基礎に優れた断熱性が得られるうえ、基礎仮枠の撤去の必要がないために施工性が向上し、かつ別途に基礎仮枠を準備する必要がなく、コスト低下が図れる。
しかし、一層の施工性の向上およびコスト低下を図るにつき、セパレータの工夫が望まれる。すなわち、従来、セパレータとして各種のものが使用されているが、従来のものは、いずれも枠組された基礎仮枠間に入ってセパレータ両端の木コンやレジコン，ポリコンあるいはフランジを基礎仮枠の内面に設置する必要があり、作業に手間がかかる。また、レジコン等を使用するものでは、構成が複雑で高価になるという問題がある。
【０００３】
この発明は、上記の課題を解消するものであり、施工性の向上が図れる簡単な構成のセパレータおよびその取付構造を提供することを目的とする。
【０００４】
【課題を解決するための手段】
この発明のセパレータは、対面する一対の基礎仮枠に各々埋め込み状態に設置される第１および第２のセパレータ本体と、前記両基礎仮枠間に介在させる支持筒と、この支持筒内に挿通されて前記両セパレータ本体を接合する継ぎボルトとを備える。前記継ぎボルトは、先端および基端に雄ねじ部を有しかつ基端近傍に軸部よりも大径の雄ねじ部を有する。前記第１のセパレータ本体は、前記継ぎボルトの軸部が挿通可能でかつ前記大径の雄ねじ部と螺合する雌ねじ部を有し、前記第２のセパレータは、前記継ぎボルトの先端の雄ねじ部が螺合する雌ねじ部およびホームタイの接合部を有する。
この構成のセパレータによると、基礎仮枠の施工に際して、予めセパレータ本体の埋め込み設置された基礎仮枠間に支持筒を介在させ、第１のセパレータ本体側の基礎仮枠の外側から継ぎボルトを挿入してねじ込むだけで、セパレータの設置が完了する。このように設置されたセパレータの継ぎボルトの基端および第２のセパレータにホームタイを取付け、パイプ製の横ばた等を取付ける。なお、このセパレータは、次の断熱基礎仮枠に限らず、各種の基礎仮枠に使用することができる。
【０００５】
この発明の断熱基礎仮枠のセパレータ取付構造は、上記構成のセパレータを基礎仮枠に取付ける構造であって、前記両セパレータ本体を埋め込み設置する基礎仮枠を、基礎コンクートの硬化後に基礎の断熱材として残される発泡ウレタン製の断熱基礎仮枠としたものである。
基礎仮枠が発泡ウレタン製である場合、セパレータ本体の埋め込みを、基礎仮枠の発泡成形時に行え、発泡ウレタンの持つ接着性で基礎仮枠が堅固に基礎仮枠に接着される。
【０００６】
このセパレータ取付構造において、前記両基礎仮枠の内面におけるセパレータ本体取付部の周囲に金属製の補強板を設けることが望ましい。この場合に、前記支持筒の第１のセパレータ本体側の端部外周に、外径側へ突出する複数の係止爪を設ける。第１のセパレータ本体側の補強板には、前記支持筒の端部が挿入される円形開口を設け、この円形開口の周縁に、前記支持筒の係止爪が挿通可能な切欠を設ける。この補強板と第１のセパレータ本体との間に前記係止爪を挟み込み可能な隙間を設ける。
この構成の場合、前記支持筒の先端の係止爪を前記切欠から挿入して前記支持筒を回転させることにより、前記係止爪を前記隙間内に挟み込んで前記支持筒を基礎仮枠に保持させることができる。そのため、支持筒を基礎仮枠に簡単に取付けることができ、現場で支持筒を基礎仮枠に取付けてから、その基礎仮枠を設置することもできる。基礎仮枠は発泡ウレタン製で軽量であるため、このような施工方法が簡単に採用できる。
【０００７】
【発明の実施の形態】
この発明の一実施形態を図１ないし図４と共に説明する。図３はこのセパレータおよびその取付構造を採用した断熱基礎の断面図である。この基礎１は、寒冷地住宅用の布基礎に応用したものであり、断熱性の基礎仮枠２，２間に基礎コンクリート３を打設し、基礎コンクリート３に鉄筋４を埋め込んで構成される。基礎コンクリート３および基礎仮枠２内にはセパレータ５が埋め込み状態に残される。基礎コンクリート３は、立ち上がり部３ａの下端に両側へ広がったベース部３ｂを有しており、基礎仮枠２はこの基礎コンクリート３の側面に沿う形状とされる。基礎仮枠２は、基礎コンクリート３の硬化後にも基礎１の断熱材として残されるものであり、発泡ウレタン製のものが用いられる。基礎仮枠２の上端には、基礎周辺部材の取付下地となる鉄板等の金属板製の下地材２ａが設けられ、発泡ウレタンの発泡成形時の接着性で接着されている。
【０００８】
セパレータ５は、図１に示すように、基礎仮枠２，２に各々埋め込み状態に設置される第１および第２のセパレータ本体６Ａ，６Ｂと、両基礎仮枠２，２間に介在させる支持筒７と、この支持筒７内に挿通されて両セパレータ本体６Ａ，６Ｂを接合する継ぎボルト８とを備える。
【０００９】
継ぎボルト８は、先端および基端に雄ねじ部８ａ，８ｂを有し、かつ基端近傍に軸部よりも大径の雄ねじ部８ｃを有している。大径の雄ねじ部８ｃは、先端の雄ねじ部８ａよりもリードを大きくしてある。第１のセパレータ本体６Ａは、樹脂製の筒部６Ａａの一端に金属板６Ａｂを一体化して構成され、金属板６Ａｂに、継ぎボルト８が挿通可能でかつ前記大径の雄ねじ部８ｃと螺合する雌ねじ部９を有している。第２のセパレータ本体６Ｂは、樹脂製の筒部６Ｂａの一端に金属板６Ｂｂを一体化して構成され、筒部６Ｂａの内径面の全体が雌ねじ１０に形成されている。この雌ねじ１０の一端側部分が、継ぎボルト８の先端の雄ねじ部８ａが螺合する雌ねじ部１１となり、他端側部分がホームタイ接合部１２となっている。
【００１０】
ホームタイ接合部１０には、両切ボルトからなるホームタイ用ボルト１３がねじ込まれ、このホームタイ用ボルト１３の突出部分にホームタイ１４がその雌ねじ部で取付けられる。ホームタイ１４は、各種の構成のものが使用できるが、図示の例では、雄ねじ部１４ａにサドル１６をナット１５で取付け、丸パイプからなる上下２本の横はた１７をサドル１６で基礎仮枠２の外面に押し付けるものとしてある。第１のセパレータ本体６Ａ側では、継ぎボルト８の基端の雄ねじ部８ｂに、前記ホームタイ用ボルト１３側と同様なホームタイ１４が取付けられ、前記と同様に横はた１７の保持が行われる。
【００１１】
支持筒７は塩ビパイプ等の樹脂製のものであり、図２に示すように、一端にリング状の金属板からなる爪形成材１８が接着してある。爪形成材１８には、外径側へ突出する複数の係止爪１９が等間隔に設けてある。この例では、係止爪１９は２個としてある。
一方、両基礎仮枠２の内面におけるセパレータ本体取付部の周囲には鉄板等の金属製の補強板２０Ａ，２０Ｂが設けてあり、これら補強板２０Ａ，２０Ｂには支持筒７の端部が挿入される円形の開口２１（図２）が形成されている。このうち、第１のセパレータ本体６Ａ側の補強板２０Ａにおける円形開口２１の周縁には、支持筒７の各係止爪１９が挿通可能な複数の切欠２２が設けられる。この補強板２０Ａと第１のセパレータ本体６Ａとの間には、係止爪１９を挟み込み可能な隙間ｄ（図１）を全周に設けておく。
なお、補強板２０Ａ，２０Ｂおよびセパレータ本体６Ａ，６Ｂは、基礎仮枠２の発泡成形時にその金型内に配置しておき、発泡成形に伴うウレタン樹脂の接着性で基礎仮枠２に一体に埋め込み状態に接着させる。
【００１２】
つぎに、施工方法を説明する。まず、第１のセパレータ本体６Ａの埋め込まれた基礎仮枠２に支持筒７を取付ける。支持筒７の取付作業は、図２のように係止爪１９が補強板２０Ａの切欠２２に対応する回転角度で支持筒７の先端を補強板２０Ａの円形開口２１に差し込み、支持筒７を１／４回転させる。これにより、支持爪１９が同図に鎖線で示すように切欠２２から離れた位置に来て、補強板２０Ａと第１のセパレータ本体６Ａとの間の隙間ｄに挟み込み状態となり、支持筒７が基礎仮枠２に保持される。
【００１３】
図４（Ａ）に示すように、この支持筒７の取付けられた基礎仮枠２を所定位置に設置した後、これに対面する基礎仮枠２を所定位置に設置する（同図（Ｂ））。この後、第１のセパレータ本体６Ａに基礎仮枠２の外側から継ぎボルト８を差し込み、支持筒７に挿通して、その先端を第２のセパレータ本体２Ｂの雌ねじ部１１にねじ込む。これにより、大径の雄ねじ部８ｃが第１のセパレータ本体６Ａの雌ねじ部９に噛み合い始めるので、さらに継ぎボルト８を回転させることで、大径の雄ねじ部８ｃを前記雌ねじ部９にねじ込む（同図（Ｃ））。このねじ込みに伴い、先端と大径部の雄ねじ部８ａ，８ｃのリードの差により、両側の基礎仮枠２，２が互いに引き寄せられ、支持筒７の突っ張りで基礎仮枠２，２の間隔が規制される。このようにして各セパレータ５の施工を行った後、両側のホームタイ１４を取付け、横はた１７をサドル１６で保持させる。鉄筋４は、予め所定形状に組んだものを、適宜の過程で基礎仮枠２，２間に配置する。この後、基礎仮枠２，２間に基礎コンクリート３を打設する。基礎コンクリート３の硬化後は、ホームタイ１４および継ぎボルト８を撤去し、基礎仮枠２は断熱材としてそのまま残す。屋外側の基礎仮枠２はモルタル（図示せず）を屋外面に塗布する。
なお、基礎仮枠２の設置に際しては、図１（Ｂ）に示すように、溝形のレール２３を地盤に設置しておき、その上に基礎仮枠２を下端が嵌まるように設置しても良い。レール２３は、複数の基礎仮枠２が並ぶ長さのものとする。これにより、基礎仮枠２が整然と並べられ、基礎の通りがでる。
【００１４】
この構成のセパレータ５によると、上記のように基礎仮枠２，２の施工に際して、予めセパレータ本体６Ａ，６Ｂの埋め込み設置された基礎仮枠２，２間に支持筒７を介在させ、基礎仮枠２の外側から継ぎボルト８を挿入してねじ込むだけで、セパレータ５の設置が完了する。そのため、両側の基礎仮枠２，２の設置後にその間の狭い空間で作業を行う必要がなく、施工性が良い。特に、図４と共に前述したように、支持筒５を片方の基礎仮枠２に取付けておくことで、一層の施工能率の向上が図れる。また、このセパレータ５は、木コンやレジコン等が不要であるため、構成が簡単で安価に製作できる。さらに、セパレータ本体６Ａ，６Ｂは基礎仮枠２内にその発泡成形時に一体化させることができるので、セパレータ本体６Ａ，６Ｂの基礎仮枠２への取付けも容易に行える。
【００１５】
【発明の効果】
この発明のセパレータは、対面する一対の基礎仮枠に埋め込み設置される第１，第２のセパレータ本体と、両基礎仮枠間に介在させる支持筒と、この支持筒内に挿通されて前記両セパレータ本体を接合する継ぎボルトとを備え、前記継ぎボルトは、第１のセパレータ本体に挿通して先端を第２セパレータ本体に螺合させ、かつ基端近傍の大径の雄ねじ部を第１のセパレータ本体に螺合させるように構成したため、簡単な構成でありながら、対面設置された基礎仮枠に外側からの継ぎボルトの挿入およびねじ込み作業により簡単にセパレータの施工が行える。
この発明の断熱基礎仮枠のセパレータ取付構造は、上記構成のセパレータを基礎仮枠に取付ける構造であって、両セパレータ本体を埋め込み設置する基礎仮枠が、基礎コンクートの打設後に基礎の断熱材として残される発泡ウレタン製の断熱基礎仮枠であるため、セパレータ本体の基礎仮枠内への埋め込み設置が、発泡ウレタンの成形時に簡単に行え、また作業性良くセパレータの施工が行える。
このセパレータ取付構造において、基礎仮枠内面のセパレータ本体取付部の周囲に補強板を設けると共に、支持筒の先端に係止爪を設け、この係止爪を前記補強板に設けられた切欠から挿入して支持筒を回転させることにより、前記係止爪を前記補強板とセパレータ本体との間の隙間内に挟み込んで支持筒を基礎仮枠に保持可能とした場合は、支持筒を基礎仮枠に簡単に取付けることができ、セパレータの施工が一層簡単に行える。
【図面の簡単な説明】
【図１】（Ａ）はこの発明の一実施形態にかかる断熱基礎のセパレータ取付構造の断面図、（Ｂ）はその斜視図である。
【図２】同セパレータの支持筒と補強板との関係を示す斜視図である。
【図３】同セパレータ取付構造を採用した基礎の断面図である。
【図４】同セパレータ取付構造の施工過程の説明図である。
【符号の説明】
１…基礎
２…基礎仮枠
５…セパレータ
６Ａ，６Ｂ…セパレータ本体
７…支持筒
８…継ぎボルト
８ａ〜８ｃ…雄ねじ部
９…雌ねじ部
１１…雌ねじ部
１２…ホームタイ取付部
１４…ホームタイ
１９…係止爪
２０Ａ，２０Ｂ…補強板
２１…円形開口
２２…切欠
【図１】
0003805445.tif 000002
【図２】
0003805445.tif 000003
【図３】
0003805445.tif 000004
【図４】
0003805445.tif 000005